(57)【要約】【課題】  本発明の目的は、集束イオンビーム加工法などにより加工した試料をさらに他の前処理法で薄膜加工し、そのまま電子顕微鏡により観察および分析することにある。【解決手段】  上記目的は、ＦＩＢ加工装置試料ホールダ用試料台においてＦＩＢ加工後の試料を材料の特性に合わせた方法で追加工し、ＦＩＢ加工によって生じた汚染や損傷の不具合を完全に除去し、材料の本質を保存した試料を観察目的に最適な形状、厚さに加工することが可能な試料台を備えることで達成される。【選択図】図３
2008262929.tif 000002
【特許請求の範囲】
【請求項１】
液体金属を備えたイオン源と、該イオン源から発せられたイオンビームを加速する高電圧電源と、イオンビームを試料面上に集束するレンズと、集束されたイオンビームを試料面上で走査する偏向装置と試料を固定した試料ホールダを挿入する試料室を備えた集束イオンビーム加工装置試料ホールダ用試料台において該試料ホールダの形状が円柱または角柱状であることを特徴とする集束イオンビーム加工装置試料ホールダ用試料台。
【請求項２】
請求項１記載の集束イオンビーム加工装置試料ホールダ用試料台においてその先端の形状が円錐または角錐状であることを特徴とする集束イオンビーム加工装置試料ホールダ用試料台。
【請求項３】
請求項１記載の集束イオンビーム加工装置試料ホールダ用試料台においてその最先端が平坦加工してあることを特徴とする集束イオンビーム加工装置試料ホールダ用試料台。
【請求項４】
請求項１記載の集束イオンビーム加工装置試料ホールダ用試料台においてその材料が導電体であることを特徴とする集束イオンビーム加工装置試料ホールダ用試料台。
【請求項５】
請求項１記載の集束イオンビーム加工装置試料ホールダ用試料台においてその材質が試料の化学研磨剤に対し耐食性を有していることを特徴とする集束イオンビーム加工装置試料ホールダ用試料台。
【請求項６】
荷電粒子線が照射される個所で、荷電粒子線の照射対象である試料を保持すると共に、荷電粒子線照射装置鏡体の側部から挿入可能に構成される試料ホールダにおいて、
前記試料をその先端部に支持する円錐状体、或いは角錐状体からなる試料支持部と、当該試料支持部を保持する保持部を備え、前記試料支持部と前記保持部は着脱可能に構成されていることを特徴とする試料ホールダ。
【発明の詳細な説明】
【技術分野】
【０００１】
本発明は、透過電子顕微鏡または走査電子顕微鏡で観察するための試料を集束イオンビーム（以下、ＦＩＢ）加工装置により薄膜または断面加工し、さらに観察目的や試料材質に合わせ、化学研磨や電解研磨などの試料追加工を行うための試料台に関する。
【背景技術】
【０００２】
従来、ＦＩＢ加工装置による透過電子顕微鏡観察試料を支持する試料台としては特許文献１がある。この技術における試料台ではＦＩＢ加工装置内で摘出した試料を透過電子顕微鏡で観察，分析する際の試料の機械的安定性の問題や、電子線照射された試料台から発生するＸ線（システムピーク）の問題などについては種々の配慮がみられるが、いずれも通称切り欠きメッシュと呼ばれている半ディスク状の試料台に試料を固定する方法について種々の工夫がなされているのみで数１０μｍ程度の極微小試料専用の試料台に関する技術ではない。また、特許文献２の技術においても透過電子顕微鏡観察試料を支持する試料台に関する方法、試料の固定法に関する配慮は見られるが、ＦＩＢ加工装置を用いて試料を加工する際に必然的に試料表面に発生するイオン照射ダメージ層の除去や試料断面近傍を通過したイオンビームや試料断面で散乱したイオンビームが試料底部や試料台をスパッタし、試料の加工表面に汚染物質として再付着するいわゆるリデポジションの問題については配慮されていない。
【０００３】
【特許文献１】特開２００２−３１９３６３号公報
【特許文献２】特開２００２−２５４９０号公報
【発明の開示】
【発明が解決しようとする課題】
【０００４】
本発明の目的は、集束イオンビーム加工の際に発生する前記リデポジションの問題を解決し、ＦＩＢ加工中、必然的に試料最表面に形成されるイオンビーム照射ダメージ層を他の試料研磨法で容易に除去可能な試料台を提供し、試料の本質を変えずに任意の形状に整形加工することを可能とし、透過電子顕微鏡および走査電子顕微鏡を用いた微細構造解析や元素分析および化学結合状態分析などの分析精度を向上することにある。
【課題を解決するための手段】
【０００５】
上記目的は、集束イオンビームで薄膜化する試料を支持する試料台をＦＩＢ加工時の試料損傷や試料汚染が発生しにくい形状とし、なおかつ電解研磨や化学研磨などの他の方法による薄膜化処理も行える材質と形状にすることにより達成される。
【０００６】
請求項１の発明は微小試料を載せた試料台を、試料に衝撃や応力を加えずにしかも簡単な操作で試料ホールダに挿入または取り外すことを可能とする。また、試料を透過電子顕微鏡の中で傾斜、または回転して観察する際に試料台が電子線通路を妨害することも最小限に抑えることができる。さらにＦＩＢ加工時に常に問題となる散乱イオンビームによる試料台のスパッタに起因する試料汚染の低減にも効果がある。
【０００７】
請求項２の発明は上記請求項１の発明で解決しようとする試料台のスパッタによる試料加工表面の汚染防止効果を促進するものである。また、透過電子顕微鏡や走査電子顕微鏡の特性Ｘ線分析機能を用いた元素分析の際、分析精度低下の原因となっている試料台からのノイズ信号を最小限に抑える効果もある。
【０００８】
請求項３の発明は円柱状または角柱状試料台に設けられた円錐状または角錐状の最先端部に微小試料を接着，固定する際の微小試料の機械的安定性を確保する上で効果の高い技術である。
【０００９】
請求項４の発明はＦＩＢ加工試料の表面がＦＩＢ加工時に損傷または汚染を受けた場合、その損傷または汚染を電解研磨法などにより除去する上で重要な技術である。
【００１０】
請求項５の発明はＦＩＢ加工試料の表面がＦＩＢ加工時に損傷または汚染を受けた場合、その損傷または汚染を強酸などの化学研磨剤を用いて除去する場合の重要な働きをする技術である。
【発明の効果】
【００１１】
本発明のＦＩＢ加工装置試料ホールダ用試料台を用いることにより、ＦＩＢ加工時に発生する試料汚染やイオンビーム損傷を最小限に抑えることが可能となる。また、ＦＩＢ加工時に汚染や損傷が発生した場合でも加工試料を引き続き他の試料研磨法により完全に除去することが可能で、従来は不可能と考えられていたＦＩＢ加工試料の無汚染，無損傷化が実現する。
【発明を実施するための最良の形態】
【００１２】
以下、図面を参照して本発明について説明する。図１に本発明が適用されるＦＩＢ加工装置の構成図を示す。ＦＩＢ加工装置１は、イオン銃２，コンデンサーレンズ３，絞り４，走査電極５，対物レンズ６で構成されている。ＦＩＢ加工装置１の試料室には、試料９を取り付けた試料ホールダ１０，その上方に二次電子検出器７，試料９への保護膜の形成および試料台への試料９の固定のための思料オールダ８，ＦＩＢ加工により作製した微小試料の運搬のためのマイクロプローブ１２がとりつけられている。
【００１３】
二次電子検出器７には走査像表示装置１３が接続されている。走査像表示装置１３は走査電極制御部１４を介して走査電極５に接続されている。また、マイクロプローブ１２にはマイクロプローブ１２の位置制御を行うためのマイクロプローブ制御装置１５が接続されている。また、試料ホールダ１０は、ホールダ制御部１１に接続されている。
【００１４】
イオン銃２から放出されたイオンビーム１６は、コンデンサーレンズ３と絞り４により収束され、対物レンズ６を通過し、試料９上に照射される。対物レンズ６上方の走査電極５は、走査電極制御部１４の指示により、試料９に入射するイオンビーム１６を偏向し走査させる。
【００１５】
イオンビーム１６が試料９に照射されると、試料９からは二次電子が発生する。発生した二次電子は、二次電子検出器７により検出され走査像表示装置１３に試料像として表示される。
【００１６】
試料ホールダ８より試料９方向に放出されたガスはイオンビーム１６照射により分解され、金属が試料９面上のイオンビーム１６照射領域に堆積する。この堆積膜は、ＦＩＢ加工前の試料９表面の保護膜の形成および微小試料の試料台への固定に用いられる。試料９の加工位置の設定は試料ホールダ８に接続されたホールダ制御部１１により試料ホールダ８の位置を移動することにより自由に変えることが出来る。
【００１７】
図２は本発明の試料台を取り付けるＦＩＢ加工装置用試料ホールダ１０先端部の上面図（ａ）および断面図（ｂ）である。試料ホールダ１０には円筒状の試料台挿入部１７が設けてある。試料台挿入部１７に挿入された試料台１８の先端には試料２１が固定してある。試料２１の上方からはイオンビーム１６が照射され試料２１の加工が行われる。
【００１８】
本実施例の試料ホールダは、試料台１８（試料支持部）と、試料台挿入部１７（保持部）が、着脱可能に構成されており、後述するように、試料台１８を取り外して洗浄することが可能である。またその試料台１８は、試料を保持する先端部が細く、試料台挿入部１７に保持される被保持部が太く形成されている（例えば円錐形状や角錐形状）。このような構成によれば、微小な試料を洗浄する際の取扱いが容易になる。試料台１８を着脱する機構は、単に試料台挿入部１７を、試料台１８を嵌合するための開口部としても良いし、試料台１８を挟持する部材を試料台挿入部１７に設けるようにしても良い。
【００１９】
なお、本実施例の試料ホールダは、試料台１８を回転する回転機構（図示せず）を備えている。この回転機構は、試料ホールダの荷電粒子線装置への挿入方向と垂直な方向に回転軸を備えている。このような回転機構の採用によって、任意の方向からの加工，観察が可能になる。
【００２０】
図３（ａ）および図３（ｂ）は本発明の一実施例である試料台１８および試料台１９である。試料台１８は本体が円柱状になっており、先端部が円錐状に整形されている。試料台１９は本体が角柱状になっており、先端部が角錐状に整形されている。円柱状試料台と角柱状試料台は試料の形状に合わせて使い分ける。
【００２１】
また、円柱状試料台１８と試料台１９（角柱状）は同一の試料ホールダ１０に使用できるよう円柱状試料台の直径と角錐状試料台の最大径を同じ寸法とする。図３（ｃ）は試料台１８および試料台１９の最先端部に設けた試料９を固定するための平坦に加工された試料接着面２０である。バルク材料からプローブ１２を用いて摘出された試料９はこの試料接着面２０に移動され、金属デポジションにより接着，固定される。
【００２２】
図３（ｄ）は試料台１８および試料台１９の最先端部に設けた試料接着面２０に試料２１によって固定された試料９がＦＩＢ加工装置１内で、Ａｒイオンビーム２２によって加工されている状態を示す。
【００２３】
試料９の側面をスパッタしながら下方に進行するＡｒイオンビーム２２は試料９の側面を通過後、試料台１８に照射される。試料台１８のＡｒイオンビーム２２が照射される部分は傾斜しているため試料台１８に当たったＡｒイオンビーム２２は上方に反射することなく斜面に沿ってそのまま下方に進行する。このように、試料台１８の先端部の形状を工夫することによりＡｒイオンビーム２２によってスパッタされた試料台１８の材料の試料９の加工面への付着を防止することができる。また、試料接着面２０の面の大きさを試料９の底面と同等または小さくすることにより試料台１８がＡｒイオンビーム２２によってスパッタされることを防ぐこともできる。
【００２４】
図４はＦＩＢ加工中に試料表面に生じたイオンビーム損傷層を他の試料前処理法で除去する際の試料台の働きを示す。特にイオン源に液体金属を用いた場合、イオンビーム損傷層が形成されることがあるが、本実施例によれば、その損傷を容易に排除することができる。
【００２５】
図４（ａ）は一旦ＦＩＢ加工装置を用いて加工した試料９の表面に存在するＧａイオンビーム照射損傷層をＡｒイオンビーム２２を用いたイオンスパッタリング法で除去する場合の試料９および試料台１８とＡｒイオンビーム２２の位置関係を示す。この場合もＦＩＢ加工同様、Ａｒイオンビーム２２は試料台１８で反射することなく多少の屈折をしながらほぼ進行方向に直進するので反射イオンビームなどに起因する試料９加工表面への汚染付着は発生しない。
【００２６】
図４（ｂ）は一旦ＦＩＢ加工装置を用いて加工した試料９の表面を化学研磨法により追加エッチングする場合の試料９および試料台１８と化学研磨液容器２３と研磨液２４を示す。この場合、研磨液２４には硫酸や塩酸などの強酸を含んだエッチング液が用いられるので試料台１８にはセラミックスなどの耐食性にすぐれた材料が用いられる。これにより化学研磨中の試料台１８の溶出による試料９の汚染を防ぐことができる。
【００２７】
図４（ｃ）は一旦ＦＩＢ加工装置を用いて加工した試料９の表面を電解研磨法によりエッチングする場合の試料９および試料台１８と電解研磨液容器２５，電解研磨液２６，直流電源２７および陰極板２８を示す。
【００２８】
この場合、試料台１８は直流電源２７からの電流を試料９に伝えるための導電体としての働きが求められるので試料台１８には金属が用いられる。試料９が金属の場合に用いる方法であるが、試料台１８の電解研磨液２６への溶出が試料９の汚染原因となることが予想される場合は試料台１８の材質は試料９と同一のものとする。
【００２９】
試料９から溶出する金属陽イオンは研磨液２４を経て陰極板２８に移動する。電解研磨法は真空中で試料表面に直接高電圧で加速されたイオンビームを照射するＦＩＢ加工法やイオンミリング法とはことなり結晶欠陥を生じさせるような応力は印加されない。従って金属材料表面近傍の微細構造評価のための清浄な薄膜試料を作製する方法としては最も優れた特性を有する。
【００３０】
ただし、エッチング量が少ないことと特定領域を選択的に薄膜化することはできない。ＦＩＢ加工法との組み合わせは迅速に清浄な薄膜試料を作製することを可能にする。
【図面の簡単な説明】
【００３１】
【図１】本発明技術説明のためのＦＩＢ加工装置基本構成図。
【図２】本発明技術説明のためのＦＩＢ加工装置試料台。
【図３】本発明の一実施例である試料台の側面図。
【図４】本発明の一実施例である試料台使用例概念図を示す。
【符号の説明】
【００３２】
１…ＦＩＢ加工装置、２…イオン銃、３…コンデンサーレンズ、４…絞り、５…走査電極、６…対物レンズ、７…二次電子検出器、８，１０…試料ホールダ、９，２１…試料、１１…試料ホールダ制御部、１２…マイクロプローブ、１３…走査像表示装置、１４…走査電極制御部、１５…マイクロプローブ制御装置、１６…イオンビーム、１７…試料台挿入部、１８…試料台（円柱状）、１９…試料台（角柱状）、２０…試料接着面、２２…Ａｒイオンビーム、２３…化学研磨液容器、２４，２６…化学研磨液、２５…電解研磨液容器、２７…電源、２８…陰極板。
【図１】
2008262929.tif 000003
【図２】
2008262929.tif 000004
【図３】
2008262929.tif 000005
【図４】
2008262929.tif 000006